(57)【特許請求の範囲】
【請求項１】
第１端部（７、７’）と第２端部（８、８’）との間において、中心軸に沿って延びた締結要素（１、１’、１”）を具備した締結アセンブリ（２５）であって、前記締結要素（１、１’、１”）は、
前記締結要素（１、１’、１”）の前記第２端部（８、８’）から前記中心軸に沿って延び、且つ工具によって係合可能な、好適に六角形頭部である頭部セクション（６、６’）と、
該頭部セクション（６、６’）よりも小さい径を有する突出した円筒形セクション（３、３’）と、
前記頭部セクション（６、６’）と、前記円筒形セクション（３、３’）と、の間に配置されたフランジセクション（４、４’）と、を具備し、
前記フランジセクション（４、４’）は、前記円筒形セクション（３、３’）よりも大きい外径を有し、
前記フランジセクション（４、４’）は、前記頭部セクション（６、６’）の径よりも大きい外径を有し、
前記フランジセクション（４、４’）は、前記第１端部（７、７’）に面した面（５、５’）を備え、且つ前記締結要素（１、１’、１”）の前記中心軸の周囲にあり、
前記締結要素（１、１’、１”）は、前記円筒形セクション（３、３’）に係合セクション（２、２’）を具備しており、
該係合セクション（２、２’）の少なくとも第１部分（２ａ、２ａ’）は、前記円筒形セクション（３、３’）の外径よりも大きい外径を有し、
前記係合セクション（２、２’）の外径は、前記フランジセクション（４、４’）の外径よりも概略小さく、
前記係合セクション（２、２’）の前記第１部分（２ａ、２ａ’）は、前記第１端部（７、７’）に面した前記フランジセクション（４、４’）の前記面（５、５’）から所定の距離（９）に配置され、
前記締結アセンブリ（２５）はさらに、第１ロックワッシャ（１７）及び第２ロックワッシャ（１８）を具備し、
前記第１ロックワッシャ（１７）及び前記第２ロックワッシャ（１８）には第１端面（１５）において第１内径（１０）が与えられ、
前記第１ロックワッシャ（１７）及び前記第２ロックワッシャ（１８）には、前記第１端面（１５）の反対の第２端面（１６）において、第２内径（１１）が与えられ、
前記第１内径（１０）は前記第２内径（１１）よりも小さく、
前記第１ロックワッシャ（１７）が、前記第２ロックワッシャ（１８）よりも前記フランジセクション（４、４’）に近く配置され、前記第１ロックワッシャ（１７）が、前記第１ロックワッシャ（１７）の前記第１内径（１０）が前記係合セクション（２、２’）に面するように取り付けられた場合、前記係合セクション（２、２’）の第１部分（２ａ、２ａ’）において、前記第１ロックワッシャ（１７）の前記第１内径（１０）を備えた前記第１端面（１５）と前記係合セクション（２、２’）との係合によって、前記第１ロックワッシャ（１７）は、前記フランジセクション（４、４’）の前記面（５、５’）に到達することが妨害されることを特徴とする締結アセンブリ（２５）。
【請求項２】
前記係合セクション（２）は、前記円筒形セクション（３）の周囲の円形突出部の形状で設けられていることを特徴とする請求項１に記載の締結アセンブリ（２５）。
【請求項３】
前記係合セクション（２）には基本的に平坦な上面、および前記フランジセクション（４）の前記面（５）に基本的に直交するように延びた面が設けられていることを特徴とする請求項１または２に記載の締結アセンブリ（２５）。
【請求項４】
前記係合セクション（２’）は、前記円筒形セクション（３’）の周囲に形成された傾斜面の形状で設けられ、前記フランジセクション（４’）の前記面（５’）から前記円筒形セクション（３’）へと延びていることを特徴とする請求項１に記載の締結アセンブリ（２５）。
【請求項５】
前記締結要素（１、１’）はナットであることを特徴とする請求項１〜４のいずれか一項に記載の締結アセンブリ（２５）。
【請求項６】
前記締結要素（１”）はネジであることを特徴とする請求項１〜４のいずれか一項に記載の締結アセンブリ（２５）。
【請求項７】
前記第１ロックワッシャ（１７）及び前記第２ロックワッシャ（１８）は、同じ様式で構成されていることを特徴とする請求項１から６のいずれか一項に記載の締結アセンブリ（２５）。
【請求項８】
前記第１ロックワッシャ（１７）及び前記第２ロックワッシャ（１８）は、前記第１端面（１５）上に楔ロックカム（２２）を具備していることを特徴とする請求項７に記載の締結アセンブリ（２５）。
【発明の詳細な説明】
【技術分野】
【０００１】
本願は、請求項１の前段による締結要素に関する。本願は、請求項８の前段による締結アセンブリに関する。
【背景技術】
【０００２】
楔ロックワッシャは、長い間公知となっている。
【０００３】
ロックすることを目的としたワッシャは、これまでに知られており、通常は、ネジシャンクのための中央穴を具備している。一般的に、この機器は多くの異なった種類が存在する。１つの特別な機器は、ロックワッシャが、一側に歯を、他側にカムを具備したものである。歯は一般的に、ネジ頭、ナット、または取り付けられる要素の面と歯が係合することを可能にした形状として記載されている。１つの可能な形状は、傾斜ピラミッド形状である。歯はロックワッシャ面上を径方向に延びている。公知のロックワッシャの他側は、カムパターンを備え得る。一般的に、カムパターンは傾斜した楔面として記載されることが可能であり、カムの傾斜角は、ネジのネジ山のピッチよりも大きい。カムパターンは、径方向に広がっている。これらのロックワッシャは一対で使用され、その対は２つの同一のワッシャによって構成されているが、カムが互いに隣接し、ワッシャの対応した他側の歯が互いから離れるように向けて取り付けられる。正確な様式で取り付けられ且つ取り付けられる要素およびネジジョイントをロックするワッシャが適切な硬さを有することにより、この構成は非常に安全であり且つ信頼性の高い取付けを提供する。このタイプのワッシャは、例えば特許文献１に記載されている。
【０００４】
別の文献において、特許文献２も、一対で使用されることを目的としたワッシャを記載している。
【０００５】
前述のことから、ロックワッシャの対は、２つの個別のワッシャに分離された場合、一般的に任意の構成においてジョイントに取り付けられ得ることが理解されるべきである。したがって、強制されたまたは経験のある使用者は、第１ワッシャのカムを、歯のような摩擦手段に対して取り付け、これにより、第２ワッシャのカムを、ジョイントからその楔ロック効果を与えないように取り付け得る。改善のために、一般的に、この楔ロックワッシャは、例えば接着剤によって正確な構成で取り外し可能に互いに対して取り付けられ得る。接着剤は、ワッシャを互いに対して完全に固定することが不可能であり、楔ロック効果は、カムが互いに対してスライド可能であるために、互いからワッシャを分離することが、それでもなお可能である。したがって、経験のない使用者はワッシャを分離し、それらを誤った構成でネジ付き締結具に取り付け得る。
【先行技術文献】
【特許文献】
【０００６】
【特許文献１】独国特許第２  ４１３  ７６０号明細書
【特許文献２】米国特許出願公開第２００８／００１４０４６号明細書
【発明の概要】
【発明が解決しようとする課題】
【０００７】
したがって、本発明の目的は、公知の先行技術を伴った、前述の不備の少なくともいくつかを解決することである。
【課題を解決するための手段】
【０００８】
したがって、解決策は締結要素の形で提供され、その締結要素は、
好適に六角形頭部の、工具によって係合可能な頭部セクションを具備した締結要素であって、
締結要素には第１端部が設けられ、
締結要素には第２端部が設けられ、
第１端部には、頭部セクションよりも小さい径を有する、突出した円筒形セクションが設けられ、
締結要素は、円筒形セクションおよび頭部セクションよりも大きい外径を有するフランジセクションを具備し、
フランジセクションは、頭部セクションの径と等しいかまたはそれよりも大きい径を有し、
フランジセクションは、第１端部に面した面を備え、且つ締結要素の中心軸の周囲にあり、
締結要素は、円筒形セクションに係合セクションを具備しており、
係合セクションの少なくとも第１部分は、円筒形セクションの外径よりも大きい径を有し、
係合セクションの径は、フランジセクションの外径よりも概略小さく、
係合セクションの第１部分は、第１端部に面したフランジセクションの面から所定の距離に配置され、
ロックワッシャには、第１中央内径が与えられ、第１中央内径は、ロックワッシャの一方の軸方向端部において、ロックワッシャの他方の軸方向端部における第２内径と比較して、より小さくなっており、係合セクションの方向にそのより小さい中央径を向けて円筒形セクション上に導入された場合、ロックワッシャは、フランジセクションの面に到達することが防止されることを特徴としている。
【０００９】
前述の解決策を伴った利点は、ロックワッシャが誤って組み付けられ得ないことである。特に、第１ワッシャを誤って締結要素上に位置決めすることは、不可能である。すなわち、第１ワッシャのカムは、フランジセクションの締結要素面に対して所定の位置に位置決めされる。係合セクションは、ワッシャとフランジ要素の面との間にギャップを設け、これにより、ワッシャが誤った方向に組み付けられたことを、使用者に注意を惹かせる。したがって、使用者は、使用者が誤りを認識する前に、もしくはさらに悪いことに、使用者が誤りを全く認識することなくジョイントを締め付けることを防止している。
【００１０】
締結要素のさらなる発展において、係合セクションは、円筒形セクションの周囲の円形突出部の形状で設けられている。
【００１１】
この発展の利点は、ワッシャが円筒形セクションの周りに均等に係合することである。
【００１２】
さらなる発展において、締結要素は基本的に平坦な上面、およびフランジセクションの面に基本的に直交するように延びた面が設けられた係合セクションを備えている。
【００１３】
このデザインの利点は、誤って組み付けられた場合、ワッシャは係合セクションに対して非常に堅固に載置され、これによりフランジセクションの面に対してワッシャに力を加えようとした使用者が、力によって係合セクションを超えることが不可能なことである。また、平坦面は、誤って組み付けられたワッシャが、通常はフランジセクションの面と平行に載置され、これにより均一に形成されたギャップが使用者に良好な告知を与えることを保証している。
【００１４】
前述の請求項１の締結要素の別の実施形態においては、係合セクションは、円筒形セクションの周囲に形成された傾斜面の形状で設けられ、フランジセクションの面から円筒形セクションへと延びている。
【００１５】
この実施形態の利点は、特に製造が容易なことである。
【００１６】
別の実施形態においては、締結要素のフランジセクションには、カムが設けられている。したがって、第２ロックワッシャは取り付けられる必要がない。
【００１７】
前述の締結要素は、ナットおよびネジの両方とし得る。
【００１８】
本発明は、締結アセンブリにも関し、このアセンブリは、前述の発展形および実施形態による締結要素を具備し、少なくとも１つのロックワッシャをさらに具備し、ロックワッシャには、第１端面において第１径部が設けられ、
ロックワッシャには、第１端面の反対側の第２端面において第２径部が設けられ、第１径部は第２径部よりも小さく、ロックワッシャが係合セクションに面した第１径部に取り付けられた場合、ロックワッシャは、係合セクションの第１部分における、第１径部を備えた端面と係合セクションとの係合によって、フランジセクションの面に到達することが防止されることを特徴としている。
【００１９】
このことから、利点は、締結アセンブリが、締結要素とロックワッシャとの間の相互作用により、正確に取り付けられることであることが明らかである。
【００２０】
本発明の一部も締結アセンブリであり、ロックワッシャの第１径部および第２径部と、ワッシャの厚さと、係合セクションの第１部分とフランジセクションの面との間の距離と、の間には関係があり、ロックワッシャが、第２径部がフランジセクションの面に面するように、締結要素の円筒形セクションに取り付けられた場合、ワッシャの第２端面は、フランジセクションの面に平行に接触するように配置されることが可能であり、したがって、ワッシャがこの方向において取り付けられた場合、係合セクションの第１部分は、ワッシャの軸方向における係合セクションの第１部分の面した内周の位置よりも小さい径を有する。
【００２１】
したがって、ワッシャを正確に取り付けた場合、締結アセンブリは、第１ワッシャとフランジセクションの面との間にギャップを全く生じない。
【００２２】
締結アセンブリは、２つのロックワッシャを備え得る。これらは等しくすることが可能である。ロックワッシャが異なって構成され、第１ロックワッシャは等しくない第１内径および第２内径を有し、第２ロックワッシャはより小さい第１内径に略等しい円筒内径を有すると考えることが可能である。
【００２３】
この手段の利点は、第２ロックワッシャがより容易に製造されることである。ワッシャは、第１端面上に楔ロックカムを具備することが可能である。
【図面の簡単な説明】
【００２４】
【図１】先行技術によるロックワッシャ対を示した図である。
【図２】先行技術によるロックワッシャアセンブリを示した図である。
【図３】ナット形状の第１実施形態による締結要素を示した図である。
【図３ａ】図３の第１実施形態による締結要素とともに示された、先行技術による締結要素を示した図である。
【図４】ナット形状の第２実施形態による締結要素の一部を示した図である。
【図５】ネジ形状の、本発明による締結要素を示した図である。
【図６】誤って取り付けられた一対のロックワッシャを伴った締結アセンブリを示した図である。
【図６ａ】誤って取り付けられた一対のロックワッシャを伴った、図５による締結要素を示した図である。
【図７】締結要素がナットである場合の、正確に取り付けられた一対のロックワッシャを備えた締結アセンブリを示した図である。
【図７ａ】締結要素がネジである場合の、正確に取り付けられた一対のロックワッシャを備えた締結アセンブリを示した図である。
【図８】カムを具備したロックワッシャを示した図である。
【発明を実施するための形態】
【００２５】
図１および図２は、一対で使用されるロックワッシャ３２ａ、３２ｂの先行技術を開示している。図１は斜面３０、またはこの用語が好適であれば面取りを備えた一対のロックワッシャ３２ａ、３２ｂを開示している。ロックワッシャは、一側に歯３１の形状の係合手段と、他側にカム３３の形状の係合手段と、を一般的に具備している。ロックワッシャ３２ａ、３２ｂは、対で使用されることを目的とされ、一般的に互いに正確なコピーである。全体的に、ロックワッシャ３２ａと３２ｂとの間の差は、それらが互いに反転されたということのみである。
【００２６】
図１は、歯３１およびカム３３の機能を開示している。歯３１は、締結要素ヘッドおよび取り付けられるワークピース３４と係合する。締結要素３６、この場合ネジは、ネジ要素３５と係合するネジを備えている。ネジのピッチ角βは、ロックワッシャのカムの楔角よりも常に小さい。したがって、締結要素を緩めた場合、個々のロックワッシャ３２ａ、３２ｂのカム３３は、互いに対してスライドし、ピッチの差により、それらはネジによって拡張するよりも、より大きくジョイントを拡張しようとするだろう。この構成を備えたために、ジョイントは堅固にロックされる。
【００２７】
歯３１は、係合を可能とするために、任意の一般的な構成を備えることが可能である。図示された構成は傾斜ピラミッド形状であり、傾斜歯３１は、ネジ３４の頭部またはワークピース３５と急勾配側で係合する。歯３１の他の構成が考えられる。例えば、歯３１は、均一なピラミッド形状を備え得る。歯３１は、台形とすることも可能である。歯３１が、ネジの頭部およびワークピース３５よりも優れた硬さを備えることは、重要である。この理由は、歯３１が、ロック機能を達成するために、それらが隣接して配置された材料と係合することが可能でなければならないからである。そうでなければ、歯は、ジョイントの締め付けの場合にもしくはより固い隣接面上をスライドした場合に、モーメントによって平板化され得る。したがって、ロックワッシャ３２ａは、ジョイントを締め付けた場合に締結要素３６とともに移動され、ロックワッシャ３２ｂは、ワークピース３５上に静止している。
【００２８】
カム３３は、この実施例として図２に見られている楔のように記載され得る。カム３３は、一般的に急勾配面および傾斜面を備えている。したがって、個々のロックワッシャ３２ａ、３２ｂは、互いに締め付けられた場合に、互いに隣接して配置された個々のカム３３を備えることが可能である。ロックは、カム３３の楔形状により達成される。締め付けられた場合、締結要素３６は、例えば振動または使用者によって緩められ、ロックワッシャ３２ａ、３２ｂの歯３１は、締結要素の頭部および取り付けられる要素３５と係合する。したがって、ロックワッシャ３２ａは、締結要素３６の回転方向における動作に追従しようとし、他のワッシャ３２ｂは、ワークピース１６と係合した個々の歯３１によって、所定の位置に維持されようとする。カム３３は互いにそれぞれの傾斜面上でスライドし、したがって、緩み方向にスライドした場合、傾斜、すなわちカム面の楔角αを利用してネジジョイントを締結要素３６の長手方向に拡張しようとする。この拡張はジョイントをロックし、締結要素が緩むことを防止している。したがって、カム３３は、ロックワッシャ３２ａ、３２ｂがネジの緩み方向に移動されることを防止している。
【００２９】
歯３１とカム３３との間の差が全体的に記載されており、歯は別の鋸刃状面と相互作用するように設計されておらず、一方でカム３３は、個々のロックワッシャ上において互いに協働するように故意に意図されている。カム３３は、前述の通りおよび図１に見られているように、特別な構成の楔角を備えるべきである。さらに、歯は、歯が当たった面に対してワッシャがスライドすることを防止する能力を備えているべきである。好適に、歯は、歯が当たる面と係合し、ジョイントが緩められた場合、不均一形状の歯の急勾配の面が、緩み方向と反対となるようにするべきである。このことは、歯の急勾配の面が緩み方向と反対になるべきであることを意味している。これはカムの反対であり、緩み方向にある急勾配の面を常に備えているべきである。
【００３０】
図３は、ナット形状の締結要素１の第１実施形態を開示している。このナットには、一般的に六角形の頭部セクション６が設けられ、このセクションは、例えばレンチのような工具と係合することが可能である。六角形は、義務的なものではないことが理解されるべきである。六角形ソケットを備えたアレンキーのためのネジも考えられ、同様に、Ｔｏｒｘ（登録商標）のような他の類似の構成も考えられる。さらに、ナットは第１端部７および第２端部８を備えている。第１端部には、突出した円筒形セクション３が設けられている。円筒形セクション３は、ナットのフランジセクション４の面５から延びている。円筒形セクション３は、図８に見られているように、ナット１とともに使用されるロックワッシャ１７、１８をガイドするために、ナットに設けられている。円筒形セクション３とフランジセクション４の面５との間の遷移部において、係合セクション２が設けられている。係合セクション２は、図３のように、ナット１の中心線に対して横向の平坦面２ｂを備えるような形状とされ得る。係合セクション２の急勾配側９は、このセクションをフランジセクション４の面５に連結している。少なくとも第１部分２ａにおいて円筒形セクション３よりも大きい径を有することは、係合セクション２に関して必須である。係合セクション２’は、本発明の目的に合致するために、他の形状を有することがもちろん可能であり、例えばそれは図４に見られているような傾斜面形状を備えることが可能である。図４において、係合セクション２’は、傾斜面が所定の角度で円筒形セクション３からフランジセクション４の面５に延びている。傾斜面の意味は広く解釈されるべきであり、斜面を意味している。傾斜面係合セクション２’の第１部分２ａ’は、仮想点であり、そこで誤って搭載されたロックワッシャが、傾斜面係合セクション２’と接触する。
【００３１】
円筒形セクション３は、図８に見られているように、取り付けられるロックワッシャ１７、１８のガイドの機能もさらに備えている。円筒形セクションの追加の機能は、特に実施形態のナット１に備わっており、ワッシャ１７、１８をナットに維持する。一般的に、通常のナットは、任意のワッシャを維持または保持しない。しかし、円筒形セクション３を設けることにより、ワッシャはナット１に維持されることが可能である。したがって、ナットおよびロックワッシャ１７、１８は、円筒形セクション３を通じてナット１に組み付けられたワッシャとともに、ユニットとして使用者に提供され得る。しかし、より重要なことは、使用者がロックワッシャ１７、１８をジョイントに取り付ける場合、使用者はワッシャをナット１に最初に取り付けることが可能であり、したがって、一体に取り付けられる部品を組み立てる場合、それらをナットの所定の位置に保持する必要がない。
【００３２】
図３ａにおいて、左側の先行技術による締結要素と、右側の第１実施形態による締結要素１と、の間の比較が見られている。その上の図３は、図３ａの右側の締結要素の断面図である。
【００３３】
先の記載がナット１を議論していても、本発明の目的を達成するための同じ方式において、ネジまたはネジボルト１’を設計することが可能であると理解されるべきである。この実施例は図５に示されており、そこにはネジボルトまたはネジが開示されている。ネジ山２１は、ネジのシャンク２０上に開示されている。ネジ１”の他のすべての特徴は、平坦面係合セクション２を備えたナット１および傾斜面係合セクション２を備えたナット１’の先の実施例と同じままである。ねじ山２１の径は、ネジ１”の拡張セクション３の径よりも小さいことが理解される。
【００３４】
図６は、前述のようなナット１を備え、且つ第１および第２ロックワッシャ１７、１８をさらに備えた締結アセンブリ２５を開示している。ロックワッシャ１７は、誤った方向において取り付けられている。したがって、第１ロックワッシャ１７は、ナット１の係合部２の平坦面に対して第１径部１０を当てて載置されている。このことは、ロックワッシャ１７の面１５がナットのフランジセクション４の面５に到達することを妨害したギャップ１９を生じさせる。このギャップ１９は距離９に相当し、この距離は、ロックワッシャ１７が誤った端部１３を締結要素１、１’、および１”のフランジセクション４の面５に向けて組み付けられた場合に生じる。第２ワッシャ１８は、この図６において正確に取り付けられている。しかし、第１ワッシャ１７が誤った方向においてそのカム２２と組み付けられた場合、楔ロック効果は生じ得ない。図６ａは、ネジ１”に関してではあるが、正確な同じ締結アセンブリ２５を開示している。
【００３５】
図７は、ロックワッシャ１７が正確な様式で取り付けられた場合の、図６によるロックワッシャアセンブリ２５を開示している。この構成において、ロックワッシャ１７は、ナット１のフランジセクション４の面５に隣接して配置されることが可能である。このことは、ワッシャ１７の第２径部１１が、係合セクション２の径よりも大きく、したがって、ワッシャ１７が、原則的に係合セクションに接触することなく係合セクションを収容することが可能であることによる。第２ワッシャ１８は、図６と同様の位置にある。一般的に、ワッシャ１７、１８のカム２２は、開示された２つのワッシャ１７と１８との間の界面と接触する。図７ａはネジ１”の正確な配列を示しており、図７による締結アセンブリの開示と共通した、すべての共通の特徴を示している。
【００３６】
したがって、ロックワッシャ１７の第１径部１０および第２径部１１と、ワッシャの厚さＴと、係合セクション２の第１部分２ａとフランジセクションの面５との間の距離と、の間の特別な関係は、第２径部がフランジセクション４の面５に面して締結要素の円筒形セクション３にこのロックワッシャが取り付けられた場合に、ワッシャの第２端面がフランジセクション４の面５と平行に接触するように配置することが可能であり、したがって、ワッシャがこの方向に取り付けられた場合、係合セクション２の第１部分２ａが、係合セクション２の第１部分２ａに面した、内周のワッシャの軸方向における位置よりも小さい径を備えていることである。すなわち、ワッシャがフランジセクション４の面５上に位置している場合、第１部分２ａに面して終端となったワッシャの内側穴の周の位置は、第１部分２ａよりも大きい径を備えている。したがって、第１部分２ａは、円筒形部分３上に正しい方向において配置された場合、ワッシャ１７の導入を妨害することが不可能である。そして、さらにワッシャ１７の厚さＴが、このことを可能にしており、したがって、第１部分２ａはワッシャ１７の厚さＴよりもフランジセクションの面５から遠く離れていない。
【００３７】
締結アセンブリ２５のワッシャ１７、１８が、図８に開示されており、第２径部１１よりも小さい第１径部１０を開示している。一般的に、より小さい第１径部１０は、ワッシャ１７、１８のカム２２と同じ端部側１２に配置されている。他の側には、全体的に摩擦係合手段が配置されており、それは一般的に図１および図２とともに先に述べられたような歯の形状である。
【００３８】
フランジセクション４は、頭部セクション６と比較して、先に述べられた異なったデザインの、図３〜図７とは異なり得るサイズになることが理解されるべきである。フランジセクションは、ロックワッシャと係合し得る締結要素１、１’、１”の面５を増大するために適用されることが理解されるべきである。しかし、これにより、一般的にフランジセクション４は、ナットの軸方向から見て、頭部セクション６への最小円周の径よりも大きい径を備えている。しかし、アプリケーションが必要とする場合、フランジセクションは、六角形頭部セクションのすべてのコーナーと接触する円、または頭部セクションが丸められた、頭部セクション６と等しい円と同じ径を備え得る。
【００３９】
前述の締結要素の軸方向は、ナットの中心穴またはネジのシャンクが延びた方向として理解されるべきである。したがって、例えば図３および図５において、軸方向は第１端部７から第２端部８へと延びている。
【００４０】
係合セクション２の他の構成が、本発明の範囲内において考えられ、したがって、例えば係合セクション２は、ナットまたはネジの周である必要は無い。ナットもしくはネジの周囲に係合セクションユニットが突出するようにセクションが構成されるか、または係合セクションが存在しないセクションを備えるように構成することが可能である。
【００４１】
ナット１、１’の円筒形セクション３の高さに関して、図７はこのセクション３の適切な高さの例を示していることが理解されるべきである。すなわち、２つのワッシャ１７、１８は、ナット７上に正確に位置決めされた場合、多かれ少なかれ厚みを有し、円筒形セクション３の高さのレベルとなる。ネジ１”に対応した図７ａに開示されたような範囲は、ナット１’にも当てはまることが理解されるべきである。すなわち、ナット１の円筒形セクション３の高さは、正確な様式で取り付けられた場合に、ワッシャ１７、１８の高さとなるような高さである必要は無く、それより低い高さとすることが可能である。しかし、円筒形セクション３の高さは、正確な様式で取り付けられた場合に、２つのワッシャ１７、１８の厚さよりもさらに高くすることが可能であることも理解されるべきである。異なったセクション３、２、４、および６の明確な順序が存在している。この順序は、図６ａのネジ１’の実施例に明確に見られている。そして、それはナット１’に対応して図７の実施例にも明確に見られている。また、図３において、異なったセクションの順序が観察される。
【００４２】
図５、図６ａ、および図７から、ネジ１”は、対応したネジ要素とともに使用されることを目的としたネジであることが明確である。そのことは、ネジが自己穴開け式でないことを意味している。
【符号の説明】
【００４３】
１  ・・・締結要素
２、２’  ・・・係合セクション
３  ・・・円筒形セクション
４  ・・・フランジセクション
６  ・・・頭部セクション
７  ・・・第１端部
８  ・・・第２端部
９  ・・・急勾配側
１０  ・・・第１径部
１１  ・・・第２径部
１７、１８  ・・・ロックワッシャ
１９  ・・・ギャップ
２１  ・・・ネジ山
２２  ・・・カム
２５  ・・・締結アセンブリ
３０  ・・・斜面
３１  ・・・歯
３２ａ、３２ｂ  ・・・ロックワッシャ
３３  ・・・カム
３４  ・・・ワークピース
３５  ・・・ネジ要素
３６  ・・・締結要素
【図１】
0006542765.tif 000002
【図２】
0006542765.tif 000003
【図３】
0006542765.tif 000004
【図３ａ】
0006542765.tif 000005
【図４】
0006542765.tif 000006
【図５】
0006542765.tif 000007
【図６】
0006542765.tif 000008
【図６ａ】
0006542765.tif 000009
【図７】
0006542765.tif 000010
【図７ａ】
0006542765.tif 000011
【図８】
0006542765.tif 000012